(57)【特許請求の範囲】
【請求項１】
前面に開口が形成された加熱庫と、
前記加熱庫内に収納される受け皿を支持し、前記加熱庫に対して前記開口から出し入れ自在に設けられる支持部材と
を備えた加熱装置において、
前記加熱庫の底面の前側には、該底面から高くなった段差部が設けられ、
前記支持部材は、
断面円形状の丸棒で枠状に形成され、前記受け皿を内側に落とし込んで周囲から取り囲んで支持する枠部を備え、
前記枠部は、
前記開口を開閉する扉が着脱可能に連結される連結板と、
前記連結板の右部から右側方に延び、更に後方に屈曲して直線状に延び、後端部が斜め上方に傾斜する右側部と、
前記連結板の左部から左側方に延び、更に後方に屈曲して直線状に延び、後端部が斜め上方に傾斜する左側部と、
前記右側部の前記後端部から左方に屈曲して水平且つ直線状に延びる右後方部と、
前記左側部の前記後端部から右方に屈曲して水平且つ直線状に延びる左後方部と、
前記右後方部と前記左後方部の間であって、前記加熱庫の奥側に配置される後方側に設けられ、前記枠部の下部から下方に突出する突出部と
を備え、
前記突出部は、
前記枠部の下方において、前記枠部の幅方向に対して平行に延び、前記段差部の後方側の段差面と対向する部分に、前記支持部材を前記開口から引き出した場合に前記段差面と略平行に当接する平坦面を備える横方向部と、
前記横方向部の長手方向の両端部から夫々後方に向かって斜め上方に傾斜して延び、前記右後方部の左端部及び前記左後方部の右端部と連結する一対の傾斜延設部と
を備え、
前記加熱庫の左右の両側面には、少なくとも前記段差面に対して前記平坦面が当接した状態において、前記枠部の前記右後方部及び前記左後方部に対して、上方から近接又は当接する当接部が夫々設けられた
ことを特徴とする加熱装置。
【請求項２】
前記当接部は、
前記加熱庫の奥行方向に対して平行に延設されている
ことを特徴とする請求項１に記載の加熱装置。
【請求項３】
前記段差部は、前記底面の絞り加工で形成された
ことを特徴とする請求項１又は２に記載の加熱装置。
【発明の詳細な説明】
【技術分野】
【０００１】
本発明は、加熱庫を備えた加熱装置に関する。
【背景技術】
【０００２】
従来、グリル装置として、ガスバーナを備えたグリル庫に焼き網を載せた受け皿を出し入れする開口を前方に備え、該開口に開閉自在のグリル扉を設けたものが知られている。例えば、水受皿の底面に、グリル庫の底板の前側に形成した突起と係合するストッパを設け、該水受皿が引き出されたとき突起とストッパが係合してグリル庫内から抜け落ちることを防止したグリル装置が提案されている（例えば、特許文献１参照）。
【０００３】
ところが、特許文献１に記載のグリル装置では、水受皿と焼き網を手前に引き出した際に、水受皿の底面に設けたストッパが、グリル庫底板に形成された突起と係合するので、水受皿及び焼き網の夫々の後端側までを、グリル庫の開口の外側まで引き出すことができず、焼き網上に載置された被調理物を取り出す際に不便であった。そこで、例えば、受け皿をフレーム状の枠に載せてグリル庫から出し入れする構造とし、フレームをグリル庫の手前に引き出した際に、そのフレームの下側の一部をストッパとして、グリル庫の底板に設けられた段差に係合させるグリル装置が提案されている。
【先行技術文献】
【特許文献】
【０００４】
【特許文献１】特開２００２−２０６７５７号公報
【発明の概要】
【発明が解決しようとする課題】
【０００５】
後者のグリル装置において、フレーム状の枠を丸棒で形成した場合、グリル庫の底板に設けられた段差を大きくする必要がある。しかしながら、段差は底板をプレス加工で形成するので、丸棒が確実に係合する段差を形成するには、限界があった。丸棒に対して段差の高さが十分に高くなければ、ストッパは段差を乗り越えてしまうので、フレームごと受け皿と焼き網がグリル庫から抜ける可能性もあった。
【０００６】
本発明の目的は、受け皿を支持する支持部材を加熱庫の開口から引き出した際に、該支持部材の落下を防止できる加熱装置を提供することにある。
【課題を解決するための手段】
【０００７】
本発明の請求項１に係る加熱装置は、前面に開口が形成された加熱庫と、前記加熱庫内に収納される受け皿を支持し、前記加熱庫に対して前記開口から出し入れ自在に設けられる支持部材とを備えた加熱装置において、前記加熱庫の底面の前側には、該底面から高くなった段差部が設けられ、前記支持部材は、断面円形状の丸棒で枠状に形成され、前記受け皿を内側に落とし込んで周囲から取り囲んで支持する枠部を備え、前記枠部は、前記開口を開閉する扉が着脱可能に連結される連結板と、前記連結板の右部から右側方に延び、更に後方に屈曲して直線状に延び、後端部が斜め上方に傾斜する右側部と、前記連結板の左部から左側方に延び、更に後方に屈曲して直線状に延び、後端部が斜め上方に傾斜する左側部と、前記右側部の前記後端部から左方に屈曲して水平且つ直線状に延びる右後方部と、前記左側部の前記後端部から右方に屈曲して水平且つ直線状に延びる左後方部と、前記右後方部と前記左後方部の間であって、前記加熱庫の奥側に配置される後方側に設けられ、前記枠部の下部から下方に突出する突出部とを備え、前記突出部は、前記枠部の下方において、前記枠部の幅方向に対して平行に延び、前記段差部の後方側の段差面と対向する部分に、前記支持部材を前記開口から引き出した場合に前記段差面と略平行に当接する平坦面を備える横方向部と、前記横方向部の長手方向の両端部から夫々後方に向かって斜め上方に傾斜して延び、前記右後方部の左端部及び前記左後方部の右端部と連結する一対の傾斜延設部とを備え、前記加熱庫の左右の両側面には、少なくとも前記段差面に対して前記平坦面が当接した状態において、前記枠部の前記右後方部及び前記左後方部に対して、上方から近接又は当接する当接部が夫々設けられたことを特徴とする。
【０００８】
【０００９】
また、請求項２に係る発明の加熱装置は、請求項１に記載の発明の構成に加え、前記当接部は、前記加熱庫の奥行方向に対して平行に延設されていることを特徴とする。
【００１０】
また、請求項３に係る発明の加熱装置は、請求項１又は２に記載の発明の構成に加え、前記段差部は、前記底面の絞り加工で形成されたことを特徴とする。
【発明の効果】
【００１１】
請求項１に係る発明の加熱装置では、受け皿を開口から引き出した場合に、枠部の突出部に設けられた平坦面を、加熱庫の底面の前側に設けられた段差部の段差面に当接させることができるので、突出部を落下防止のストッパとして機能させることができる。枠部の一部である突出部の平坦面を段差面に当接させるので、ストッパとしての強度を保持できる。また、段差面に枠部の丸棒部分を当接させるのではなく、突出部の平坦面を当接させるので、段差部を必要最小限の高さで構成できる。さらに、段差面と平坦面を略平行に当接させることによって、摩擦力が付加されるので、安定したストッパを構成できる。
【００１２】
また、支持部材と共に受け皿を開口から引き出し、段差面に対して平坦面が当接した状態では、枠部の後方部に対して、左右一対の当接部が上方から近接又は当接するので、受け皿が引き出された状態でも、支持部材は前方に抜けない。支持部材を加熱庫から取り外す場合、使用者は、段差面に平坦面が当接した状態から、支持部材の手前側を上方に引き上げる。これによって、横方向部を基点として支持部材の手前側が上方に回動するので、平坦面が段差面に対して上方にずれるように移動する。そして、平坦面が段差面を乗り越えた後は、後方部が当接部の下側から抜けるので、支持部材を取り外すことができる。また、傾斜延設部は、段差面に当接させる横方向部から後方部に向けて延びているので、枠部において受け皿を保持する部分を開口の前方に大きく引き出すことができる。これにより、受け皿に載置された被調理物を取り出し易くできる。
【００１３】
また、請求項２に係る発明の加熱装置は、請求項１に記載の発明の効果に加え、当接部は、加熱庫の奥行方向に対して平行に延設されているので、枠部の後方部が当接部に沿って奥行方向に対して平行に案内される。これにより、枠部を加熱庫の奥行方向にスムーズに案内できる。
【００１４】
また、請求項３に係る発明の加熱装置は、請求項１又は２に記載の発明の効果に加え、段差部は底面の絞り加工で形成されているので、加熱庫を構成する部品点数を少なくできる。
【図面の簡単な説明】
【００１５】
【図１】コンロ１を中央で前後方向に切断した状態の斜視図である。
【図２】支持枠４０と共に、受け皿６と焼き網７を前方に引き出した状態の斜視図である。
【図３】図２に示すコンロ１を右側方から見た図である。
【図４】図３の段差部３０周囲の部分拡大図である。
【図５】図２の段差部３０周囲の部分拡大図である。
【図６】支持枠４０の斜め後方から見上げた斜視図である。
【図７】図３の状態からグリル扉５を上方に傾けた状態の図である。
【図８】図７の段差部３０周囲の部分拡大図である。
【発明を実施するための形態】
【００１６】
以下、本発明の実施形態について、図面を参照して説明する。以下説明は、図中に矢印で示す上下、左右、前後を使用する。なお、図１に示すコンロ１は、テーブルコンロであるが、ビルトインコンロでもよく、グリル庫を持つ単体のグリル装置等であってもよい。また、図１〜図３、図７では、説明の便宜上、天板を省略したコンロ１を図示する。
【００１７】
図１〜図３を参照し、コンロ１のグリル構造について説明する。コンロ１は、器具本体２の内部中央に、略直方体状のグリル庫４を備える。器具本体２の前面２Ａには、グリル扉５によって開閉されるグリル開口１０（図２参照）が設けられている。グリル庫４内には、受け皿６と焼き網７を支持する支持枠４０が、グリル開口１０を介して、グリル庫４の奥行方向（前後方向）に出し入れ可能に収容されている。支持枠４０において、焼き網７は受け皿６の上方に配置されるため、焼き網７に載置された被調理物（図示略）から落ちる水や油等を、受け皿６で受けることができる。支持枠４０は、グリル扉５の背面下部に連結されている。グリル扉５の略上半分の領域には、グリル庫４の内部を確認する為の窓部５Ａが設けられている。窓部５Ａの下側には、取手５Ｂが設けられている。図２，図３に示すように、使用者は、取手５Ｂに下側から指を掛けてグリル扉５を手前側に引き出すことによって、支持枠４０がグリル庫４内を摺動するので、受け皿６と焼き網７をグリル庫４外に同時に取り出すことができる。
【００１８】
図２〜図５を参照し、グリル庫４の内部構造について説明する。図２，図３に示すように、グリル庫４は、前側が開口する略直方体状の筐体であり、左側壁１１、右側壁（図示略）、上壁１３、底壁１４、背壁１５を備える。上壁１３の略中央には、上バーナ２１が設けられている。上バーナ２１の後方には、排気口１７が設けられている。焼き網７が配置される位置の下側には、平面視略Ｕ字型の下バーナ２２が設けられている。そして、左側壁１１及び右側壁の夫々の内面において、下バーナ２２の略Ｕ字型に分岐する夫々の直線状の部位が、前後方向に延設されている。上バーナ２１は下方に向けて火炎を形成し、下バーナ２２は中央に向けて火炎を形成する。よって、焼き網７に載置された被調理物の両面は同時に加熱される。
【００１９】
また、背壁１５は、底壁１４の後端部に略垂直に立設され、その背壁１５の前側には、背壁１５の中段位置から前方に下り傾斜する傾斜部１８が設けられている。傾斜部１８は、グリル庫４内と排気口１７を連通する排気通路を形成する。それ故、グリル庫４内の燃焼排気は、排気通路を通って排気口１７からグリル庫４外に排出される。
【００２０】
また、図３，図４に示すように、左側壁１１において、下バーナ２２の下方には、板状の左レール部２５が前後方向に延設されている。左レール部２５は、グリル庫４の中央に向かって略水平に突出した形状を有する。左レール部２５の上面には、支持枠４０の後述する左側部５２（図５，図６参照）が摺動可能に載置される。さらに、左レール部２５の上方で、且つ下バーナ２２の下側には、左当接部２６が左レール部２５に対して平行に延設されている。左当接部２６も、グリル庫４の中央に向かって略水平に突出した形状を有する。左当接部２６の下面の位置は、左レール部２５に左側部５２が載置された状態で、支持枠４０の後述する左後方部５４に対して近接するように調整されている。なお、図示しないが、右側壁においても、左側壁１１の左レール部２５、及び左当接部２６と左右対称形状の右レール部、及び右当接部が夫々設けられている。
【００２１】
また、図２に示すように、底壁１４の上面１４Ａの略中央には、平面視略矩形状の凹部１４Ｂが設けられている。さらに、上面１４Ａの前端部の左右方向の略中央部と、凹部１４Ｂの前端部の左右方向の略中央部との間には、上面１４Ａよりは低く、且つ凹部１４Ｂの底面よりは高い平面視長方形状の溝部１４Ｃが設けられている。この溝部１４Ｃには、支持枠４０をグリル庫４外に引き出す際に、支持枠４０の後述する横方向部５８が摺動する。
【００２２】
そして、図４，図５に示すように、溝部１４Ｃの底面の前端部には、該底面から側面視台形状に一段高くなった段差部３０が設けられている。段差部３０は、後方側から前方側にかけて、溝部１４Ｃの底面から垂直に降り立つ段差面３１、該段差面３１の上端部から前方に略水平に延設する上端面３２、該上端面３２の前端部から前方に向かって下り傾斜する傾斜面３３を備える。なお、凹部１４Ｂ、溝部１４Ｃ、段差部３０は、底壁１４の絞り加工（プレス加工）で形成されているので、グリル庫４を構成する部品点数を少なくできる。
【００２３】
図６を参照し、支持枠４０の構造について説明する。支持枠４０は、連結板４１、枠部４２、前側保持パネル４４、後側保持パネル４５を備える。なお、図６は、支持枠４０を右斜め後方から見上げた状態を図示している。
【００２４】
連結板４１は、支持枠４０の前側に上下方向に立設され、正面視横長の長方形状に形成されている。連結板４１の上端部の左右方向の両側には、上方に突出する爪部４６，４７が夫々設けられている。爪部４６，４７は矩形状の板片であり、グリル扉５の背面に設けられた一対の係止穴（図示略）に夫々係止する。そして、爪部４６，４７がグリル扉５の背面の一対の係止穴に係止した状態で、グリル扉５の背面下部に設けられた連結部５Ｃ（図２，図３参照）が連結板４１の下端部と係合する。これにより、グリル扉５の背面側に対して、支持枠４０の連結板４１が連結される。連結板４１の左右両端部には、上部が閉塞された円筒状の筒部４８，４９が夫々設けられている。筒部４８，４９には、枠部４２の後述する右側部５１及び左側部５２の夫々の一端部が挿入して固定されている。
【００２５】
枠部４２は、金属製の丸棒で、平面視略矩形状に屈曲して形成された枠部材である。枠部４２は、右側部５１、左側部５２、右後方部５３、左後方部５４、突出部５５を備える。右側部５１は、連結板４１の右側の筒部４８の下端部から右側方に延び、さらに後方に略直角に屈曲して直線状に延びる部位であり、後端部が斜め上方に傾斜している。左側部５２は、連結板４１の左側の筒部４９の下端部から左側方に延び、さらに後方に略直角に屈曲して直線状に延びる部位であり、後端部が斜め上方に傾斜している。右後方部５３及び左後方部５４は、枠部４２の後方部のうち左右方向の両側を夫々形成する。右後方部５３は、右側部５１の後端部から左方に略直角に屈曲して略水平且つ略直線状に延びる部位である。左後方部５４は、左側部５２の後端部から右方に略直角に屈曲して略水平且つ略直線状に延びる部位である。それ故、右後方部５３及び左後方部５４は、枠部４２において最上部に夫々位置する。
【００２６】
突出部５５は、右後方部５３と左後方部５４の間に設けられ、支持枠４０の後端部の中央部を形成する。突出部５５は、横方向部５８と一対の傾斜延設部５９，６０を備える。横方向部５８は、枠部４２の下方において左右方向に延びる部位である。横方向部５８は長手方向に直交する断面が矩形状である角柱状に形成され、その前方に対向する部分には、上下方向に対して平行な平坦面５８Ａ（図４，図５参照）が形成されている。右側の傾斜延設部５９は、横方向部５８の右端部と右後方部５３の左端部との間を連結し、横方向部５８側から右後方部５３側に斜め上方に傾斜して延びる部位である。左側の傾斜延設部６０は、横方向部５８の左端部と左後方部５４の右端部との間を連結し、横方向部５８側から左後方部５４側に斜め上方に傾斜して延びる部位である。
【００２７】
また、上記形状からなる枠部４２に対して、前側保持パネル４４及び後側保持パネル４５は、枠部４２の前側と後ろ側に夫々取り付けられている。前側保持パネル４４は、枠部４２の内側の領域のうち前側の両角部の領域を閉塞し、後側保持パネル４５は、後ろ側の両角部の領域を閉塞する。そして、前側保持パネル４４及び後側保持パネル４５の夫々の内縁部は、互いに前後に対象形状である平面視略円弧状に形成され、受け皿６の底部の前後部分の外縁形状に夫々対応している。それ故、前側保持パネル４４及び後側保持パネル４５に挟まれる内側に対し、受け皿６の底部を上方から落とし込むことによって、受け皿６のフランジ部６Ａが前側保持パネル４４及び後側保持パネル４５の夫々の上面に載置される（図４，図５参照）。具体的に言うと、前側保持パネル４４及び後側保持パネル４５の夫々の上面には、複数の凸部３６（図４参照：後側保持パネル４５のみ図示）が設けられているので、受け皿６のフランジ部６Ａは、複数の凸部３６の上部に安定して載置される。よって、支持枠４０に対し、受け皿６を略水平に安定した姿勢で支持させることができる。
【００２８】
また、前側保持パネル４４の左右両側には、支持穴６１，６２が夫々設けられている。支持穴６１，６２には、焼き網７の前側部分を下側から支持する前側支持枠７１（図２，図３参照）の両端部が挿入して固定される。さらに、後側保持パネル４５の左右両側にも、支持穴６３，６４が夫々設けられている。支持穴６３，６４には、焼き網７の後ろ側部分を下側から支持する後側支持枠７２（図１，図３，図４参照）の両端部が挿入して固定される。
【００２９】
図２〜図５を参照し、支持枠４０のストッパ機能について説明する。焼き網７上の被調理物を取り出す場合、使用者はグリル扉５の取手５Ｂに下側から指を掛け、手前側に引き出す。グリル扉５に連結された支持枠４０は、グリル扉５と共に前方に引き出され、支持枠４０の右側部５１は、グリル庫４内の右レール部（図示略）の上面を前方に摺動し、左側部５２は、グリル庫４内の左レール部２５の上面を前方に摺動する（図３，図４参照）。このとき、支持枠４０の横方向部５８は、底壁１４の凹部１４Ｂを非接触の状態で移動する。そして、支持枠４０の右後方部５３及び左後方部５４は、右当接部及び左当接部２６に沿って夫々案内されるので、支持枠４０は前方に向かってスムーズに案内される。
【００３０】
さらに、支持枠４０を前方に引き出すと、支持枠４０の横方向部５８は凹部１４Ｂの前側まで移動し、溝部１４Ｃの底面に乗り上げて前方に摺動する。そして、受け皿６及び焼き網７の夫々の後端側がグリル開口１０の位置まで引き出された時に、溝部１４Ｃの前端部に設けられた段差部３０の段差面３１に対し、支持枠４０の横方向部５８の平坦面５８Ａが当接して係止する（図４，図５参照）。これにより、使用者が支持枠４０を現位置よりも前方に引き出そうとしても、支持枠４０は前方に移動しない。
【００３１】
さらに、この状態では、図４に示すように、支持枠４０の左後方部５４に対して、グリル庫４の左側壁１１に設けられた左当接部２６の下面が近接し、右後方部５３に対して、グリル庫４の右側壁に設けられた右当接部の下面が近接している。それ故、使用者が支持枠４０を前方に強く引き出した時に、横方向部５８が段差部３０を乗り越えようとしても、左当接部２６及び右当接部が左後方部５４及び右後方部５３に対して上方から当接するので、支持枠４０は上方へ移動せず、横方向部５８は段差部３０を乗り越えることができない。よって、支持枠４０をグリル庫４から前方に引き出した場合に、支持枠４０がグリル庫４から抜けて落下するのを防止できる。
【００３２】
そして、支持枠４０の一部である横方向部５８の平坦面５８Ａを、段差部３０の段差面３１に当接させるので、ストッパとしての強度を保持できる。また、段差面３１に枠部４２の丸棒部分を当接させるのではなく、横方向部５８の平坦面５８Ａを当接させるので、段差部３０を必要最小限の高さで構成できる。さらに、段差面３１と平坦面５８Ａを略平行に当接させることによって、摩擦力が付加されるので、安定したストッパを構成できる。
【００３３】
また、本実施形態の支持枠４０では、一対の傾斜延設部５９，６０は、段差面３１に当接させる横方向部５８から後方に延びているので、枠部４２において受け皿６の後方側を保持する後側保持パネル４５をグリル開口１０付近まで大きく引き出すことができる。これにより、受け皿６及び焼き網７をグリル開口１０の前方まで大きく引き出すことができるので、例えば、焼き網７上に載置された被調理物を簡単に取り出すことができる。
【００３４】
図７，図８を参照し、支持枠４０をグリル庫４から取り外す方法について説明する。使用者は、支持枠４０をグリル庫４の前方に引き出し、横方向部５８を段差部３０の段差面３１に当接させる。この状態から、図７に示すように、グリル扉５の取手５Ｂを上方に引き上げる。このとき、図８に示すように、支持枠４０が横方向部５８を基点として右側面視時計回りに回転する。さらに、横方向部５８を基点として右側面視時計回りに回転し、さらに、支持枠４０の右後方部５３及び左後方部５４は、右当接部及び左当接部２６から下方に離れるので、その状態で、グリル扉５及び支持枠４０を前方に向かって水平に抜く。これにより、横方向部５８は、段差部３０の段差面３１を乗り越え、上端面３２及び傾斜面３３を前方に向かって摺動する。そして、右後方部５３及び左後方部５４は、右当接部と右レール部の間、及び左当接部２６と左レール部２５の間から前方に抜けるので、支持枠４０をグリル庫４から前方に簡単に抜くことができる。
【００３５】
以上説明において、支持枠４０が本発明の「支持部材」に相当し、グリル開口１０が本発明の「開口」に相当する。
【００３６】
以上説明したように、本実施形態のコンロ１は、器具本体２内にグリル庫４を備える。グリル庫４はグリル開口１０を前面に備える。グリル庫４には、グリル開口１０から出し入れ自在に支持枠４０が収容される。支持枠４０は受け皿６と焼き網７を支持する。グリル庫４の底壁１４の上面１４Ａの前側には、段差部３０が設けられている。支持枠４０は、断面円形状の丸棒で枠状に形成され、受け皿６を内側に落とし込んで周囲から取り囲んで支持する枠部４２を備える。枠部４２は、グリル庫４の奥側に配置される後方側に、枠部４２の下部から下方に突出する突出部５５を備える。突出部５５は、段差部３０の後方側の段差面３１と対向する部分に、段差面３１と略平行に当接する平坦面５８Ａを備える。これにより、支持枠４０をグリル開口１０から引き出した場合、突出部５５の平坦面５８Ａを、段差部３０の段差面３１に当接させることができるので、突出部５５を支持枠４０の落下防止のストッパとして機能させることができる。枠部４２の一部である平坦面５８Ａを段差面３１に当接させるので、ストッパとしての強度を保持できる。また、段差面３１に枠部４２の丸棒部分を当接させるのではなく、突出部５５の平坦面５８Ａを当接させるので、段差部３０を必要最小限の高さで構成できる。さらに、段差面３１と平坦面を略平行に当接させることによって、摩擦力が付加されるので、安定したストッパを構成できる。
【００３７】
また、上記実施形態ではさらに、突出部５５は、横方向部５８と、一対の傾斜延設部５９，６０を備える。横方向部５８は、枠部４２の下方において、枠部４２の幅方向に対して平行に延び、段差面３１と対向する部分に平坦面５８Ａを備える。傾斜延設部５９，６０は、横方向部５８の長手方向の両端部から夫々後方に向かって斜め上方に傾斜して延び、右後方部５３と左後方部５４と夫々連結する。さらに、グリル庫４内の右側壁及び左側壁１１には、右当接部及び左当接部２６が設けられている。右当接部及び左当接部２６は、段差面３１に対して平坦面５８Ａが当接した状態において、支持枠４０の右後方部５３と左後方部５４に対して上方から近接する位置に設けられている。よって、支持枠４０をグリル開口１０から引き出し、段差面３１に対して平坦面５８Ａが当接した状態では、右後方部５３と左後方部５４に対して、右当接部及び左当接部２６が上方から近接するので、受け皿６が強く引き出された場合でも、横方向部５８は段差部３０を乗り越えることが無いので、支持枠４０が前方に抜けてしまうのを防止できる。
【００３８】
また、支持枠４０をグリル庫４から取り外す場合、使用者は、段差面３１に平坦面５８Ａが当接した状態から、支持枠４０の手前側を上方にやや引き上げる。これによって、横方向部５８を基点として支持枠４０の手前側が上方に回動するので、平坦面５８Ａが段差面３１に対して上方にずれるように移動する。そして、平坦面５８Ａが段差面３１を乗り越えた後は、傾斜延設部５９，６０が段差部３０に沿って摺動し、当接部に対して下側から前方に抜けるので、支持枠４０を簡単に取り外すことができる。
【００３９】
尚、本発明は上記実施形態に限定されるものではなく、種々の変更が可能である。例えば、上記実施形態では、支持枠４０はグリル庫４内を摺動することによって、前後方向に移動するが、例えば、スライドレール機構をグリル庫４の左右の両側壁に設けることによって、支持枠４０を前後方向にスライド移動可能にしてもよい。
【００４０】
また、上記実施形態では、支持枠４０の横方向部５８を角柱状にすることによって、段差部３０の後方側の段差面３１と対向する面を平坦面５８Ａとしているが、丸棒のうち段差面３１と対向する部分に平坦面５８Ａを形成してもよい。
【００４１】
また、上記実施形態では、グリル庫４の右側壁及び左側壁１１に設けた右当接部及び左当接部２６は、支持枠４０の右後方部５３及び左後方部５４に対して上方から近接しているが、当接させてもよい。また、段差面３１に対して平坦面５８Ａが当接した状態の時だけ、当接させるようにしてもよい。
【００４２】
また上記実施形態では、段差部３０は、底壁１４において絞り加工で形成されているが、側面視台形状を有するブロックを段差部３０として、底壁１４に固定してもよい。
【符号の説明】
【００４３】
１    コンロ
２Ａ  前面
４    グリル庫
６    受け皿
１０    グリル開口
１１    左側壁
１４    底壁
１４Ａ  上面
２６    左当接部
３０    段差部
３１    段差面
４０    支持枠
４２    枠部
５３    右後方部
５４    左後方部
５５    突出部
５８    横方向部
５８Ａ  平坦面
５９，６０    傾斜延設部
【図１】
0006449612.tif 000002
【図２】
0006449612.tif 000003
【図３】
0006449612.tif 000004
【図４】
0006449612.tif 000005
【図５】
0006449612.tif 000006
【図６】
0006449612.tif 000007
【図７】
0006449612.tif 000008
【図８】
0006449612.tif 000009